(57)【特許請求の範囲】
【請求項１】
収納部および前記収納部から延出して終端部に吹き出し口が形成された通路を備えたハウジング、前記収納部に配設されたファン、前記通路内に前記延出方向に沿って延在するように装架され且つ円周方向の一部に穴が形成された断熱筒体、前記断熱筒体内部に装架された発熱体ならびに前記穴に対向して露呈すべく前記通路の壁に設置された安全装置からなる温水便座装置の温風ユニット。
【発明の詳細な説明】
【０００１】
【発明の属する技術分野】
本発明は、温水便座装置の温風ユニットに関するものであり、更に詳しくは、温水便座装置の温風ユニットの安全装置に関するものである。
【０００２】
【従来の技術】
従来から温水便座装置においては、局部乾燥装置としてあるいはトイレ空間の暖房装置として、温風ユニットが付設されることがある。この温風ユニットから吹き出される温風は、サーモスタットを主たる構成要素とする安全装置に常時露呈されており、温風の温度が所定値を越えると、この安全装置が作動して、発熱源への通電を停止するようになっている。
【０００３】
【発明が解決しようとする課題】
ところが、この安全装置は、温風吹き出し口の外側近傍に設置されており、その設置のための部材を温風ユニットから延出させねばならず、装置全体の大型化を免れることができなかった。
【０００４】
それ故に、本発明は、かような事情に鑑み、装置の大型化を回避し得る温風ユニットを提供せんことを、その技術的課題とするものである。
【０００５】
【課題を解決するための手段】
上記技術的課題を解決するために請求項１記載の発明において講じた技術的手段は、収納部および前記収納部から延出して終端部に吹き出し口が形成された通路を備えたハウジング、前記収納部に配設されたファン、前記通路内に前記延出方向に沿って延在するように装架され且つ円周方向の一部に穴が形成された断熱筒体、前記断熱筒体内部に装架された発熱体ならびに前記穴に対向して露呈すべく前記通路の壁に設置された安全装置からなる温水便座装置の温風ユニットを、構成したことである。
【０００６】
【作用】
上記した請求項１記載の発明の技術的手段においては、安全装置を設置するための部材をユニットから延在させる必要がないので、装置全体として、大型化しない。
【０００７】
【発明の実施の形態】
以下、添付図面を参照して本発明の実施形態について説明する。
【０００８】
図１において、温水便座装置１０は、便器（図示略）の後部に載置される本体部１１および本体部１１に枢支される便座１２を備える。本体部１１内には、タンク１３および洗浄機構１４が収容されている。洗浄機構１４は、肛門洗浄用ノズル１５とビデ洗浄洗浄用ノズル１６とを備えており、水圧がタンク１３内に供給されると、周知のように、タンク１３内に貯溜せられて所定温度に保温された洗浄水が押し出され、この洗浄水が洗浄肛門洗浄用ノズル１５（ビデ洗浄洗浄用ノズル１６）から便座１２に着座する使用者（図示略）の肛門（ビデ部）に向けて噴射されるようになっている。
【０００９】
温水便座装置１０の本体部１１内には、また、温風乾燥装置２０が収容されており、この温風乾燥装置２０から吐出された温風が洗浄直後の肛門（ビデ部）に付着せる水滴を強制的に蒸発させて当該部位を短時間乾燥せしめるようになっている。図２および図３に詳細に示されるように、温風乾燥装置２０はハウジング２１を備える。このハウジング２１には、モータ駆動ファン２２が配設される収納部２３が形成されており、この収納部２３からは、便座１２の方向に延出する通路２４が一体的に形成されている。通路２４の終端は開口しており、この開口にはルーバー２５が設置されている。
【００１０】
通路２４内には、マイカで形成された断熱性の筒体２６が配置されている。この断熱性の筒体２６の内部には、断面が十字型をなす断熱性ベース２７が一体的に設けられている。しかして、このベース２７上にはコイル状のヒータ線２８が巻回されて、発熱体２９を構成している。
【００１１】
断熱性筒体２６の下側には穴３０が穿設されており、また、この穴３０に符号するように、通路２４の下側にも穴３１が穿設されている。しかして、通路２４の下側には、サーモスタット３２が装架されており、このサーモスタット３２は、穴３１・３０を介して、発熱体２９と近接して対峙している。そして、発熱体２９の発熱により周辺の空気が約摂氏８０度に暖められ、この空気がモータ駆動ファン２２により、ルーバー２５を介して、使用者の肛門（ビデ部）に吹き付けられるようになっている。もし、発熱体２９の周辺温度が所定値を越えた場合、サーモスタット３２が開かれて、電源（図示略）からヒータ線２８への通電を遮断するようになっている。
【００１２】
また、図１に示されるように、温水便座装置１０の本体部１１の側部には、トイレ空間を暖房するために、温風を発生する部屋暖房装置４０が装架されている。図４に詳細に示されるように、部屋暖房装置４０はハウジング４１を備える。このハウジング４１には、モータ駆動ファン４２が配設される収納部４３が形成されており、この収納部４３からは、便座１２の方向に延出する通路４４が一体的に形成されている。通路４４の終端は開口しており、この開口にはルーバー４５が設置されている。
【００１３】
通路４４内には、マイカで形成された断熱性の筒体４６が配置されている。この断熱性の筒体４６の内部には、断面が十字型をなす断熱性ベース４７が一体的に設けられている。しかして、このベース４７上にはコイル状のヒータ線４８が巻回されて、発熱体４９を構成している。
【００１４】
断熱性筒体４６の下側には穴５０が穿設されており、また、この穴５０に符号するように、通路４４の下側にも穴５１が穿設されている。しかして、通路４４の下側には、サーモスタット５２が装架されており、このサーモスタット５２は、穴５１・５０を介して、発熱体４９と近接して対峙している。そして、発熱体４９の発熱により周辺の空気が約摂氏８０度に暖められ、この空気がモータ駆動ファン４２により、ルーバー４５を介して、トイレ空間内の空気を暖めるようになっている。もし、発熱体４９の周辺温度が所定値を越えた場合、サーモスタット４２が開かれて、電源（図示略）からヒータ線２８への通電を遮断するようになっている。
【００１５】
【発明の効果】
請求項１の発明によれば、次の効果を奏する。
【００１６】
・安全装置たるサーモスタットの設置に必要な部材を別途準備する必要がなく、装置の大型化を阻止できる。
【００１７】
・発熱体に最も近い箇所に安全装置たるサーモスタットを配置できるので、応答性が良くなり、異常時に、間髪をいれない処置をとることができる。
【図面の簡単な説明】
【図１】本発明に係る温風ユニットが装架される温水便座装置の透視斜視図である。
【図２】温風ユニットたる乾燥装置の断面図である。
【図３】図３の装置における発熱体の断面図である。
【図４】温風ユニットたる部屋暖房装置の断面図である。
【符号の説明】
２０  乾燥装置（温風ユニット）
２１  ハウジング
２２  ファン
２３  収納部
２４  通路
２６  断熱筒体
２９  発熱体
３０  穴
３２  サーモスタット（安全装置）
４０  部屋暖房装置（温風ユニット）
４１  ハウジング
４２  ファン
４３  収納部
４４  通路
４６  断熱筒体
４９  発熱体
５０  穴
５２  サーモスタット（安全装置）
【図１】
0003700737.tif 000002
【図２】
0003700737.tif 000003
【図３】
0003700737.tif 000004
【図４】
0003700737.tif 000005